(57)【要約】【課題】片手の手首だけで持つ箒などの清掃具は強い手首の力が要求され疲れ易い点である。またこの片手で持つ箒と両手で持つ箒との両用が必要となる場合に作業が非効率となる点である。【解決手段】両手で持つ箒の柄に作業者の腕を挿通する係止部材を設ける事によって、箒を手首と腕の２点で保持できて片手で楽に操作できるように補助する。また腕を外せば両手でも使えて、一本で片手でも両手でも使える箒にする。また、もう一つの手段として、両手箒を使い、腕に装着した清掃補助具を箒の柄と脱着可能にする。これにより前者と同様に、片手で楽に操作できるように補助し、一本で片手でも両手でも使える箒にする。【選択図】図９−１
2016063883.tif 000002
【特許請求の範囲】
【請求項１】
柄を備えた清掃具において、清掃具の柄と作業者の腕との間の少なくともいずれか一方に両者を係止するための係止部材を有する清掃補助具。
【請求項２】
前記の係止部材を柄側に設けている事を特徴とする請求項１に記載した清掃補助具。
【請求項３】
前記の係止部材が、作業者の腕に装着される第一係止部と清掃具の柄と脱着できる第二係止部から構成されている、請求項１に記載した清掃補助具。
【請求項４】
前記の第一係止部と、輪もしくは輪状に繋がる第二係止部とを結合した、請求項３に記載した清掃補助具。
【発明の詳細な説明】
【技術分野】
【０００１】
本発明は、清掃作業が楽に行える補助具に関するものである。
【背景技術】
【０００２】
清掃作業において、従来の箒などの清掃具を片手で持ち塵取りをもう一方の手で持ちながら清掃を行う図１に示す方法は、塵を回収しながら掃き進んで行けるため能率の良い方法である。しかしこの片手で持つ片手箒は、手首だけで箒を保持して掃く操作をする事から、塵が軽くて少量な場合にはまだ良いが、濡れ落ち葉や多くの塵を集める場合などには強い手首の力が要求され、取り分け非力な女性や高齢者には辛くて疲労を伴う作業となっていた。またこれは一日中ビルやテーマパークや公園などで清掃作業に従事している方も同様である。
【０００３】
こうした大きな操作力が必要な場合には、両手で持って作業を行う図２に示す両手箒が通常使われている。この方法では両手で力を入れる事はできるが、反面塵取りを持ちながら掃き進んで回る事ができないために、一旦何箇所かに塵を掃き集めてから改めて塵取りで回収する必要があり、塵が散らばっている場合や階段での集塵などでは多くの労力と時間を要する作業となっている。
【０００４】
実際の清掃場所には様々な状況があって、片手箒と両手箒を用いて使い分けたい場面が多く、両者の持ち替えや塵取りの三者を持っての作業と清掃作業前の準備や片付けには煩雑さがあった。
【先行技術文献】
【特許文献】
【０００５】
【特許文献１】特開２０００−３４２３４０号公報
【発明の概要】
【発明が解決しようとする課題】
【０００６】
解決しようとする問題点は、片手で持つ箒などの清掃具を手首だけで保持する方法では強い手首の力が要求され辛くて疲労を伴う点である。また両手で持つ箒との両用が必要となる場合に作業と準備と片付けが煩雑となる点である。
【課題を解決するための手段】
【０００７】
本発明は、両手で持つ箒の柄（図３の３ａ）に腕を挿通し支持する輪（図４の４ｂ）、フック（図５の５ｂ）、ベルト（図６の６ｂ）と面ファスナー（図６の６ｃ）、もしくはホックなどからなる係止部材を設ける事によって、箒を手首と腕の２点で保持できて片手で楽に操作できるように補助する。（図７−１）また柄から腕を外せば両手で持つ箒としても使える事で（図７−２）、一本で片手でも両手でも使える箒にする。
【０００８】
もう一つの手段として、両手で持つ箒（図３）を使い、ベルトと面ファスナーなどを使って腕に巻き付けて止められる清掃補助具（図８−１の８）を装着し箒の柄（図３の３ａ）に脱着可能にする。（図８−１）これにより清掃補助具を箒の柄に着けた時には手首と腕の２点で保持できて片手で楽に操作できるようにする。（図９−１）また清掃補助具を箒の柄から外した時には両手で使えて（図９−２）、一本で片手でも両手でも使える箒にする。
【発明の効果】
【０００９】
片手で持つ時には箒を手首だけでなく柄に付けた輪（図４の４ｂ）などや腕に装着した清掃補助具（図８−１の８）により腕と２点で保持する事により、腕の大きな筋肉を使って箒を腕の延長のような形で楽に操作できるように補助し、作業の辛さや疲労から解放し、塵取りと併用して作業性が向上するようになった。また腕を箒の柄から外せば両手で使え、清掃場所の状況に応じて一本の箒を片手でも両手でも使う事ができて、効率的に清掃作業を行えるようになった。
【図面の簡単な説明】
【００１０】
【図１】従来の片手箒の作業状態を示す。
【図２】従来の両手箒の作業状態を示す。
【図３】従来の両手箒
【図４】本発明の両手箒（図３）の柄（３ａ）に腕を挿通する輪（４ｂ）を追加した実施例１
【図５】本発明の両手箒（図３）の柄（３ａ）に腕を係止するフック（５ｂ）を追加した実施例２
【図６】本発明の両手箒（図３）の柄（３ａ）に腕を固定するベルト（６ｂ）と面ファスナー（６ｃ）を追加した実施例３
【図７−１】本発明の柄に腕を挿通する輪を追加した箒の実施例１（図４）の片手での作業状態を示す。
【図７−２】本発明の柄に腕を挿通する輪を追加した箒の実施例１（図４）の両手での作業状態を示す。
【図８−１】両手箒（図３）を使って、本発明のベルトと面ファスナーで腕に装着し、柄を挿通して脱着できる輪を縫い付けた清掃補助具（８）の実施例４
【図８−２】本発明の清掃補助具（８）の実施例４の詳細図
【図９−１】本発明の腕にベルトと面ファスナーで固定する清掃補助具の実施例４（図８−１）の片手での作業状態を示す。
【図９−２】本発明の腕にベルトと面ファスナーで固定する清掃補助具の実施例４（図８−１）の両手での作業状態を示す。
【実施例１】
【００１１】
図４の実施例１は、従来の両手箒の柄（図３の３ａ）に、係止部材として樹脂などで出来た輪（４ｂ）をボルトなどで固定している。この係止部材に作業者の腕を挿通する事で、箒を手首と腕の２点で保持できて腕の延長のような形で楽に操作できるようになるため作業性が向上する。また腕を箒の柄から外せば両手で箒が使え、効率的に清掃作業を行えるようになる。
【実施例２】
【００１２】
図５の実施例２は、従来の両手箒の柄（図３の３ａ）に、係止部材として樹脂などで出来たフック（５ｂ）をボルトなどで固定している。この係止部材に作業者の腕を係止する事で、箒を手首と腕の２点で保持できて腕の延長のような形で楽に操作できるようになるため作業性が向上する。また腕を箒の柄から外せば両手で箒が使え、効率的に清掃作業を行えるようになる。
【実施例３】
【００１３】
図６の実施例３は、従来の両手箒の柄（図３の３ａ）に、係止部材としてベルト（６ｂ）とベルトに接合された面ファスナー（６ｃ）を固定している。この係止部材を輪状に繋いで作業者の腕を挿通する事で、箒を手首と腕の２点で保持できて腕の延長のような形で楽に操作できるようになるため作業性が向上する。また腕を箒の柄から外せば両手で箒が使え、効率的に清掃作業を行えるようになる。
【実施例４】
【００１４】
図８−１の実施例４は、ベルト（図８−２の８ｄ）とベルトに接合された面ファスナー（図８−２の８ｅ）で構成された腕に装着する係止部に、両手箒の柄（図３の３ａ）を挿通して脱着できるもう一つの係止部である輪状のベルト（図８−２の８ｆ）を縫い付けた清掃補助具（図８−１の８）である。この清掃補助具を装着し、輪状のベルト（図８−２の８ｆ）に両手箒の柄（図３の３ａ）を挿通する事で、箒を手首と腕の２点で保持できて腕の延長のような形で楽に操作できるようになるため作業性が向上する。また両手箒の柄（図３の３ａ）を輪状のベルト（図８−２の８ｆ）から外せば両手で箒が使え、効率的に清掃作業を行えるようになる。
【００１５】
前記の実施例４では、両手箒の柄を挿通して脱着できるもう一つの係止部に輪状のベルトを用いて説明したが、輪もしくは輪状に繋がる係止部とは、輪の一部が解放した部材でも、箒の柄の半分以上を囲む形状として柄が係止できるものも含む。
【００１６】
実施例１から実施例４は、箒と腕とを脱着できる清掃補助具で説明したが、清掃具とは、箒以外にも、柄の付いたブラシやスポンジ、モップ、はたき、熊手などの清掃具全ての事であり、これらに実施される清掃補助具も含む。
【符号の説明】
【００１７】
３ａ    柄
４ｂ    輪
５ｂ    フック
６ｂ    ベルト
６ｃ    面ファスナー
８      清掃補助具
８ｄ    ベルト
８ｅ    ベルトに接合された面ファスナー
８ｆ    輪状のベルト
【図１】
2016063883.tif 000003
【図２】
2016063883.tif 000004
【図３】
2016063883.tif 000005
【図４】
2016063883.tif 000006
【図５】
2016063883.tif 000007
【図６】
2016063883.tif 000008
【図７−１】
2016063883.tif 000009
【図７−２】
2016063883.tif 000010
【図８−１】
2016063883.tif 000011
【図８−２】
2016063883.tif 000012
【図９−１】
2016063883.tif 000013
【図９−２】
2016063883.tif 000014